(57)【要約】【課題】待機時の消費電力を低減しつつ、動作上の不具合なく外部電話機の余計な鳴動を抑止できる外部電話機切り離し制御装置を提供する。【解決手段】待機時は外部電話機４を電話回線３に接続し、呼出信号検知部１７が電話回線３の電圧変化を検知したら、切り替えスイッチ１６で外部電話機４の接続先を給電回路１９に切り替える。その後、直流ループが検出されたら外部電話機４がオフフックであると判断し、外部電話機４の接続先を電話回線３側に戻し、その後、直流ループの検知（パルスダイアルのブレーク期間程度の瞬断は無視）中は、呼出信号検知部１７が電圧変化を検知しても電話回線３からの外部電話機４の切り離しを禁止する。外部電話機４を給電回路１９に接続しても直流ループが検出されないときは、電話回線３の電圧変化が呼出信号のオフ期間以上検出されなくなったら外部電話機４の接続先を電話回線３に戻す。【選択図】図１
2007235505.tif 000002
【特許請求の範囲】
【請求項１】
ファクシミリ装置に接続された外部電話機と電話回線との切り離しを制御する外部電話機切り離し制御装置において、
前記外部電話機の接続先を前記電話回線と給電回路とに切り替える切り替えスイッチと、
前記電話回線の電圧の変化を検出する電圧変化検出回路と、
前記外部電話機を経由する直流ループの形成を検出する直流ループ検出回路と、
前記切り替えスイッチの動作を制御する制御部と
を備え、
前記制御部は、待機時は前記外部電話機を前記電話回線に接続させると共に、前記電圧変化検出回路が前記電話回線の電圧の変化を検出したとき、前記外部電話機の接続先を前記電話回線から前記給電回路へ切り替え、前記外部電話機を前記給電回路に接続している状態で前記直流ループ検出回路が直流ループの形成を検出したとき、前記外部電話機の接続先を前記給電回路から前記電話回線へ切り替えるように前記切り替えスイッチを制御する
ことを特徴とする外部電話機切り離し制御装置。
【請求項２】
前記制御部は、前記直流ループ検出回路が直流ループの形成を第１の期間以上継続して検出している場合には、前記電圧変化検出回路が電圧の変化を検出しても外部電話機の接続先を電話回線から給電回路へ切り替えない
ことを特徴とする請求項１に記載の外部電話機切り離し制御装置。
【請求項３】
前記第１の期間を、前記電話回線の電圧が変化し始めてから前記電圧変化検出回路が該電圧の変化を検出するまでの遅延時間より長い期間に設定した
ことを特徴とする請求項２に記載の外部電話機切り離し制御装置。
【請求項４】
外部電話機の接続先を電話回線から給電回路へ切り替えた後に、前記直流ループ検出回路による検出を有効にする
ことを特徴とする請求項１に記載の外部電話機切り離し制御装置。
【請求項５】
前記制御部は、直流ループの検出により外部電話機の接続先を給電回路から電話回線へ切り替えた場合は、直流ループの検出されない状態が第２の期間以上継続するまでは、前記電圧変化検出回路が電話回線の電圧の変化を検出しても、外部電話機の接続先を電話回線から給電回路へ切り替えない
ことを特徴とする請求項２に記載の外部電話機切り離し制御装置。
【請求項６】
前記第２の期間を、外部電話機から発するパルスダイアルのブレーク時間より長い期間に設定した
ことを特徴とする請求項５に記載の外部電話機切り離し制御装置。
【請求項７】
前記制御部は、前記電圧変化検出回路が第３の期間以上継続して電圧の変化を検出しないとき、前記外部電話機の接続先を給電回路から電話回線へ切り替える
ことを特徴とする請求項１乃至６のいずれか１つに記載の外部電話機切り離し制御装置。
【請求項８】
前記第３の期間を、呼出信号のオフ期間より長い期間に設定した
ことを特徴とする請求項７に記載の外部電話機切り離し制御装置。
【請求項９】
請求項１乃至８のいずれか１つに記載の外部電話機切り離し制御装置を備えたファクシミリ装置。
【発明の詳細な説明】
【技術分野】
【０００１】
本発明は、ファクシミリ装置の外部電話機と電話回線との接続／切り離しを制御する外部電話機切り離し制御装置およびこれを有するファクシミリ装置に関する。
【背景技術】
【０００２】
ファクシミリ装置に接続される外部電話機は、着信がファクシミリ受信である場合には鳴動せず、ファクシミリ受信でない場合にだけ鳴動することが望ましい。また、着信中以外は、いつでも外部電話機から発信できるようにしておく必要がある。
【０００３】
そこで、不要な鳴動を抑止するために待機時は外部電話機を電話回線から切り離しておき、着信時にファクシミリ装置側で当該着信がファクシミリ受信か否かを判定し、ファクシミリ受信でない場合に電話回線の接続先を外部電話機へ切り替えるようにしたファクシミリ装置が提案されている（たとえば、特許文献１参照。）。この装置では、待機中に電話回線から切り離されている外部電話機からの発信を可能とするために、別途の電源回路から外部電話機に対して常時給電し、外部電話機と電源回路との間に直流ループが形成された場合に外部電話機がオフフックされたと判断して電話回線を外部電話機に接続するように構成されている。
【０００４】
【特許文献１】特開平６−７００８４号公報
【発明の開示】
【発明が解決しようとする課題】
【０００５】
待機中に外部電話機を電話回線から切り離しておけば、余計な鳴動を抑止できるが、切り離された外部電話機からの発信を確保するために別途の電源回路から外部電話機に対して常時給電してオフフックを検出しなければならず、待機時の消費電力が増大するという問題がある。また、停電等で電源を供給できない場合は、外部電話機を使用できなくなってしまう。
【０００６】
さらに、近年は、消費電力低減のために待機中はファクシミリ装置を省電力モードに切り替えておく要請があり、待機中に外部電話機へ給電し続ける上記の方式は、省電力に逆行し、好ましくない。一方、待機中に省電力モードに切り替える装置では、着信を検知した後、省電力モードから復帰して受信態勢が整うまでに長い時間を要するので、その間の余計な鳴動を抑止することが望まれる。
【０００７】
本発明は、上記の点に鑑みてなされたものであり、待機時の消費電力を低減しつつ、動作上の不具合なく外部電話機の余計な鳴動を抑止することのできる外部電話機切り離し制御装置およびファクシミリ装置を提供することを目的としている。
【課題を解決するための手段】
【０００８】
上記の目的は以下に示す各項の発明により達成される。
【０００９】
（１）ファクシミリ装置に接続された外部電話機と電話回線との切り離しを制御する外部電話機切り離し制御装置において、
前記外部電話機の接続先を前記電話回線と給電回路とに切り替える切り替えスイッチと、
前記電話回線の電圧の変化を検出する電圧変化検出回路と、
前記外部電話機を経由する直流ループの形成を検出する直流ループ検出回路と、
前記切り替えスイッチの動作を制御する制御部と
を備え、
前記制御部は、待機時は前記外部電話機を前記電話回線に接続させると共に、前記電圧変化検出回路が前記電話回線の電圧の変化を検出したとき、前記外部電話機の接続先を前記電話回線から前記給電回路へ切り替え、前記外部電話機を前記給電回路に接続している状態で前記直流ループ検出回路が直流ループの形成を検出したとき、前記外部電話機の接続先を前記給電回路から前記電話回線へ切り替えるように前記切り替えスイッチを制御する
ことを特徴とする外部電話機切り離し制御装置。
【００１０】
上記発明では、待機時は外部電話機を電話回線に接続しておき、極性反転や呼出信号、外部電話機のオフフックなどによって電話回線の電圧が変化すると、該変化を検出して外部電話機を電話回線から切り離して給電回路に接続する。したがって、待機時は、外部電話機へ給電回路から給電する必要がなく、待機時の消費電力が低減される。また、電話回線から切り離している間の外部電話機のオフフックは、外部電話機と給電回路との間の直流ループの形成により判断することができる。
【００１１】
（２）前記制御部は、前記直流ループ検出回路が直流ループの形成を第１の期間以上継続して検出している場合には、前記電圧変化検出回路が電圧の変化を検出しても外部電話機の接続先を電話回線から給電回路へ切り替えない
ことを特徴とする（１）に記載の外部電話機切り離し制御装置。
【００１２】
上記発明では、電圧変化検出回路により電圧の変化が検出された場合でも、その前に第１の期間以上継続して直流ループの形成が検出されている場合は、外部電話機の接続先を電話回線から給電回路へ切り替えない。逆に言えば、直流ループの形成が電圧変化より先に検出された場合でも、直流ループの検出後、第１の期間が経過する前に電圧変化が検出された場合は外部電話機の接続先を電話回線から給電回路へ切り替えるように制御する。
【００１３】
（３）前記第１の期間を、前記電話回線の電圧が変化し始めてから前記電圧変化検出回路が該電圧の変化を検出するまでの遅延時間より長い期間に設定した
ことを特徴とする（２）に記載の外部電話機切り離し制御装置。
【００１４】
直流ループ検出回路は、直流ループ電流を検出したときに応答するが、稀に、電圧の変化によって一時的に電流が流れて応答することがある。そこで、（３）における第１の期間を電圧変化検出回路の遅延時間より長くすることで、電圧変化の発生時に、これを電圧変化検出回路が検出するより先に直流ループ検出回路が応答した場合でも、該先行する直流ループの検出によって外部電話機の切り離しが阻害されなくなる。
【００１５】
（４）外部電話機の接続先を電話回線から給電回路へ切り替えた後に、前記直流ループ検出回路による検出を有効にする
ことを特徴とする（１）に記載の外部電話機切り離し制御装置。
【００１６】
上記発明では、電圧変化の検出に基づいて外部電話機の接続先を電話回線から給電回路へ切り替えた後、外部電話機を経由する直流ループの検出が開始される。なお、直流ループ検出回路を常時作動させておき、その検出結果を有効とするか否かを制御するようにしてもよい。
【００１７】
（５）前記制御部は、直流ループの検出により外部電話機の接続先を給電回路から電話回線へ切り替えた場合は、直流ループの検出されない状態が第２の期間以上継続するまでは、前記電圧変化検出回路が電話回線の電圧の変化を検出しても、外部電話機の接続先を電話回線から給電回路へ切り替えない
ことを特徴とする（２）に記載の外部電話機切り離し制御装置。
【００１８】
上記発明では、オフフックにより外部電話機と給電回路との間に形成された直流ループの検出に基づいて外部電話機の接続先を給電回路から電話回線へ切り替えた後、直流ループ検出回路はさらに電話回線と外部電話機との間に形成される直流ループの検出を継続して行なう。そして、制御部は、直流ループが第２の期間以上継続して途絶えるまでは、たとえ、電圧変化検出回路が電圧の変化を検出しても、外部電話機を電話回線と接続した状態に維持し、給電回路へは切り替えない。
【００１９】
（６）前記第２の期間を、外部電話機から発するパルスダイアルのブレーク時間より長い期間に設定した
ことを特徴とする（５）に記載の外部電話機切り離し制御装置。
【００２０】
パルスダイアルのブレーク中は、直流ループが形成されなくなるので、（５）の第２の期間を外部電話機から発するパルスダイアルのブレーク時間より長い期間にすることで、パルスダイアル方式でダイアルしている間も外部電話機の接続先が電話回線側に維持される。これにより、外部電話機の接続先の切り替え動作とパルスダイアルとが交錯し、交換局へ送られるパルスの数や長さが異常になって誤発信や発信不能となることが防止される。
【００２１】
（７）前記制御部は、前記電圧変化検出回路が第３の期間以上継続して電圧の変化を検出しないとき、前記外部電話機の接続先を給電回路から電話回線へ切り替える
ことを特徴とする（１）乃至（６）のいずれか１つに記載の外部電話機切り離し制御装置。
【００２２】
上記発明では、電圧変化の検出により外部電話機の接続先を電話回線から給電回路へ切り替えた後に直流ループが形成されない（外部電話機がオフフックでない）場合は、外部電話機はそのまま給電回路と接続された状態に維持される。この状態は、電話回線の電圧の変化が第３の期間以上継続して検出されなくなったときに解除され、外部電話機の接続先が電話回線に切り替えられる。第３の期間は、少なくとも呼出信号の周期（周波数分の１）より長く設定される。
【００２３】
（８）前記第３の期間を、呼出信号のオフ期間より長い期間に設定した
ことを特徴とする（７）に記載の外部電話機切り離し制御装置。
【００２４】
上記発明では、外部電話機の接続先の切り替え動作が、呼出信号のオン／オフ毎に行なわれることが防止され、切り替えスイッチの切り替え回数が低減して劣化が抑制される。
【００２５】
（９）（１）乃至（８）のいずれか１つに記載の外部電話機切り離し制御装置を備えたファクシミリ装置。
【発明の効果】
【００２６】
本発明に係わる外部電話機切り離し制御装置およびこれを備えたファクシミリ装置によれば、待機時の消費電力を低減しつつ、動作上の不具合なく外部電話機の余計な鳴動を抑止することができる。
【発明を実施するための最良の形態】
【００２７】
以下、図面に基づき本発明の実施の形態を説明する。
【００２８】
図１は、本発明の実施の形態に係わる外部電話機切り離し制御装置を備えたファクシミリ装置１０の概略構成を示している。ファクシミリ装置１０は、全体制御部１１と、接続制御部１２などから構成される。
【００２９】
全体制御部１１は、ファクシミリ装置１０の動作を統括制御する回路であり、図示省略のＣＰＵ（Central Processing Unit）とＲＯＭ（Read Only Memory）とＲＡＭ（Random Access Memory）とを主要部として構成される。図示省略してあるが、全体制御部１１には、原稿画像を読み取る読取部、記録紙上に画像データに対応する画像を形成して出力するプリンタ部、ユーザに各種の案内情報や装置の動作状態を表示したり、ユーザから各種の入力操作を受け付けたりする操作表示部などが接続されている。
【００３０】
接続制御部１２には、電話回線３を介して交換機２と、外部電話機４とが接続されている。接続制御部１２は、電話回線３や外部電話機４の接続制御や電話回線３からの着信検知などを行なう。接続制御部１２は、ＣＭＬ（Connect MODEM to Line）リレー１３と、モデム１４と、切り離しスイッチ１５と、切り替えスイッチ１６と、呼出信号検知部１７と、直流ループ形成検知部１８と、給電回路１９と、擬似呼出信号発生器２１と、給電スイッチ２２と、外部電話非鳴動制御部２３とから構成される。外部電話非鳴動制御部２３は、呼出検知信号処理部２４と、外部電話接続制御部２５と、直流ループ検知信号処理部２６などを備えている。
【００３１】
電話回線３は、接続制御部１２の有するＣＭＬリレー１３および切り替えスイッチ１６を経由して外部電話機４と接続されるようになっており、ＣＭＬリレー１３は、電話回線３の接続先をモデム１４側（ｂ接点側）と切り替えスイッチ１６側（ａ接点側）とに切り替える機能を果たす。切り替えスイッチ１６は外部電話機４の接続先をＣＭＬリレー１３側（ａ接点側）と給電回路１９側（ｂ接点側）とに切り替える機能を果たす。
【００３２】
待機時はＣＭＬリレー１３および切り替えスイッチ１６の各コイルは非通電の状態にあり、該非通電の状態で電話回線３と外部電話機４とが、ＣＭＬリレー１３および切り替えスイッチ１６を介して接続されるようになっている。呼出信号検知部１７は、ＣＭＬリレー１３のａ接点側と切り替えスイッチ１６のａ接点側とを結ぶ２線に並列に接続されており、電話回線３の電圧の変化を検出する電圧変化検出回路として機能する。呼出信号検知部１７には、通常、フォトカプラが使用される。呼出信号検知部１７は、主として呼出信号の検知に使用するが、極性反転や、直流ループ形成による回線電圧の変化にも応答し、電話回線３の電圧変化に応じて呼出検知信号Ｓ１、Ｓ２を出力する。
【００３３】
切り離しスイッチ１５は、ＣＭＬリレー１３のａ接点側と切り替えスイッチ１６のａ接点側とを結ぶ２線のうちの一方のラインに直列に介挿されており、外部電話機４と電話回線３との接続と切り離しを行なう。直流ループ形成検知部１８は、切り替えスイッチ１６と外部電話機４との間に直列に介挿されており、外部電話機４を経由する直流ループの形成を検知し、該検知結果を示す直流ループ検知信号Ｓ３を出力する。
【００３４】
給電回路１９は、外部電話機４へ２４Ｖ（ボルト）を給電するための回路である。給電回路１９から外部電話機４へ２４Ｖを給電することにより、外部電話機４が電話回線３から切り離された状態でも、外部電話機４のオフフック（off-hook）の検知が可能になる。給電スイッチ２２は、給電回路１９への通電をオン／オフするためのスイッチであり、切り替えスイッチ１６により外部電話機４を給電回路１９に接続する場合のみ、給電回路１９へ通電するように制御される。
【００３５】
呼出検知信号処理部２４は、呼出信号検知部１７からの呼出検知信号Ｓ１、Ｓ２を受けて、外部電話接続制御部２５へ呼出検知切り離し信号Ｓ４を出力すると共に、呼出検知信号Ｓ１、Ｓ２の入力が一定期間以上途絶えたときに呼出検知切り離し信号Ｓ４の出力を停止するように動作する。
【００３６】
直流ループ検知信号処理部２６は、直流ループ形成検知部１８からの直流ループ検知信号Ｓ３を受けて外部電話接続制御部２５へ切り離し禁止信号Ｓ５を出力すると共に、直流ループ検知信号Ｓ３の入力が一定期間以上継続していない場合に切り離し禁止信号Ｓ５の出力を停止するように動作する。
【００３７】
外部電話接続制御部２５は、呼出検知信号処理部２４から入力される呼出検知切り離し信号Ｓ４および直流ループ検知信号処理部２６から入力される切り離し禁止信号Ｓ５に基づいて、切り離しスイッチ１５と切り替えスイッチ１６の制御、および給電回路１９への通電のオン／オフ制御を行なう。詳しくは、外部電話接続制御部２５から切り離しスイッチ１５へ出力する外部電話切り離し信号Ｓ６により切り離しスイッチ１５の短絡／開放を制御する。また、切り替えスイッチ１６へ出力する接続先切り替え信号Ｓ７により外部電話機４の接続先を電話回線３側と給電回路１９側とに切り替える。また、給電スイッチ２２へ出力する給電回路制御信号Ｓ８により、給電スイッチ２２のオンオフ、すなわち給電回路１９への通電のオンオフを制御するようになっている。
【００３８】
外部電話切り離し制御装置としての機能は、切り離しスイッチ１５、切り替えスイッチ１６、呼出信号検知部１７、直流ループ形成検知部１８、給電回路１９、外部電話非鳴動制御部２３などで実現される。なお、呼出検知切り離し信号Ｓ４は起動信号Ｓ９として全体制御部１１に出力される。全体制御部１１は起動信号Ｓ９に基づいて電話回線３からの着信を認識し、省電力モード中であった場合は、省電力モードからの復帰動作を開始し、受信態勢が整ったらＣＭＬリレー駆動信号Ｓ１０をＣＭＬリレー１３へ出力して電話回線３の接続先をモデム１４側へ切り替えるようになっている。その後、全体制御部１１は、今回の着信がファクシミリ受信か否かを判定し、ファクシミリ受信の場合はその受信動作を実行し、ファクシミリ受信でない場合は、切り替えスイッチ１６を給電回路１９側に切り替え、さらに擬似呼出信号発生器２１を作動させて、外部電話機４を擬似的に鳴動させるようになっている。
【００３９】
図２は、外部電話非鳴動制御部２３が行なう制御の流れを示している。待機時（全体制御部１１が省電力モード中）に（ステップＳ１０１）、電話回線３の電圧が変化して呼出信号検知部１７から呼出検知信号Ｓ１の入力があると（ステップＳ１０２；Ｙ）、切り離しスイッチ１５により外部電話機４を電話回線３から切り離し（ステップＳ１０３）、給電スイッチ２２をオンにして給電回路１９へ通電し（ステップＳ１０４）、さらに切り替えスイッチ１６により外部電話機４の接続先を給電回路１９側に切り替える（ステップＳ１０５）。呼出検知信号Ｓ１は、呼出信号に先立つ極性反転、呼出信号の到来、外部電話機４のオフフックなどによる電話回線３の電圧変化に応じて出力される。
【００４０】
外部電話機４の接続先を給電回路１９に切り替えた後、直流ループ形成検知部１８により直流ループの検知を開始する（ステップＳ１０６）。外部電話機４がオフフックされている場合は、外部電話機４と給電回路１９との間に直流ループが形成される。直流ループ形成検知部１８が直流ループの形成を検出した場合は（ステップＳ１０７；Ｙ）、外部電話機４がオフフックされていると判断し、切り替えスイッチ１６を制御して外部電話機４の接続先を電話回線３に切り替える（ステップＳ１０８）。さらに、切り離しスイッチ１５を短絡させて外部電話機４と電話回線３との切り離しを解除し（ステップＳ１０９）、給電スイッチ２２をオフにして給電回路１９への通電を停止する（ステップＳ１１０）。
【００４１】
これにより、外部電話機４が電話回線３と接続され、ダイアル発信が可能になる。なお、直流ループ形成検知部１８は外部電話機４と電話回線３との間に形成される直流ループの検出動作を継続して行なう。
【００４２】
このように、直流ループの検出により外部電話機４の接続先を給電回路１９から電話回線３へ切り替えた場合は、直流ループの検出されない状態が第２の期間（ここでは、１００ｍｓ）以上継続するまでは、外部電話機４がオフフック中であると判断し、電話回線３からの外部電話機４の切り離しを禁止する（ステップＳ１１１、ステップＳ１１２；Ｎ）。直流ループが第２の期間以上継続して検出されなくなった場合は（ステップＳ１１２；Ｙ）、外部電話機４がオンフックされたと判断し、外部電話機４の切り離し禁止を解除して（ステップＳ１１３）、ステップＳ１０１に戻る。
【００４３】
外部電話機４を切り離し禁止にすることで、電話回線３の電圧の変化により呼出信号検知部１７から呼出検知信号Ｓ１が出力されても、外部電話機４の接続先が電話回線３側に維持され、給電回路１９へ切り替わらないように制御される。
【００４４】
直流ループの不検知は、外部電話機４をオンフックした場合に生じるが、外部電話機４からパルスダイアル方式で発信する場合にも、そのパルス幅（ブレーク期間）に応じて外部電話機４と電話回線３との接続が瞬断され、直流ループが形成されなくなる。そこで、第２の期間を、外部電話機４から発するパルスダイアルのブレーク時間より長い期間に設定することで、パルスダイアル発信による直流ループの瞬断が要因で切り離し禁止の制御が解除されないようにしてある。
【００４５】
これにより、パルスダイアル発信によって呼出信号検知部１７が電話回線３の電圧変化を検知しても外部電話機４が電話回線３側に維持されるようになり、外部電話機４の接続先の切り替え動作と本来のパルスダイアル発信とが交錯し、交換局へ送られるパルスの数や長さに異常が生じて誤発信や発信不能となることが防止される。
【００４６】
直流ループの形成されない状態が第２の期間以上継続したことにより、外部電話機４の切り離し禁止を解除した後は、待機時と同様に、電話回線３の電圧変化の検知により外部電話機４が電話回線３から切り離されるように制御される。
【００４７】
一方、外部電話機４を電話回線３から給電回路１９側へ切り替えた後、直流ループ形成検知部１８が直流ループを検出しないときは（ステップＳ１０７；Ｎ）、外部電話機４がオフフックされていないと判断し、呼出信号検知部１７からの呼出検知信号Ｓ１が予め定めた第３の期間（ここでは、３秒間）以上継続して途絶えたか否かを判定する（ステップＳ１１４）。呼出検知信号Ｓ１が第３の期間を超えて途絶えることなく入力されている間は（ステップＳ１１４；Ｎ）、呼出信号が継続していると判断し、外部電話機４を電話回線３から切り離した状態を維持する。
【００４８】
呼出検知信号Ｓ１が途絶えていることの検出が第３の期間を超えた場合は（ステップＳ１１４；Ｙ）、着信終了と判断し、切り替えスイッチ１６により外部電話機４の接続先を電話回線３に切り替える（ステップＳ１１５）。さらに、切り離しスイッチ１５を短絡させて外部電話機４と電話回線３との切り離しを解除し（ステップＳ１１６）、給電スイッチ２２をオフにして給電回路１９への通電を停止する（ステップＳ１１７）。その後はステップＳ１０１に戻って処理を継続する。
【００４９】
以上のような動作により、省電力モードの状態にあった全体制御部１１が着信を契機に復帰動作を開始して受信態勢が整うまでの間における、外部電話機４の鳴動が抑止される。なお、外部電話機４の鳴動を的確に抑止するには、第３の期間を、呼出信号の周期（周波数分の１の期間）より長く設定することを要する。また、第３の期間を、呼出信号のオフ期間より長い期間に設定すれば、呼出信号のオン／オフ毎に切り替えスイッチ１６の切り替え動作が発生しなくなり、切り替えスイッチ１６の劣化が防止される。たとえば、呼出信号が１秒オン、２秒オフを繰り返す信号の場合に、第３の期間を２秒（オフ期間）以上に設定すれば、切り替えスイッチ１６は、着信が開始されてから終了するまでの間、外部電話機４の接続先を給電回路１９側に維持するようになり、切り替え動作の回数が減って、切り替えスイッチ１６の劣化が防止される。
【００５０】
次に、着信があった場合と外部電話機４がオフフックされた場合と外部電話機４からパルスダイアル発信があった場合のそれぞれについて接続制御部１２の動作を説明する。
【００５１】
図３は、着信があった場合における接続制御部１２の動作シーケンスと各部の信号波形を示している。また、図３の期間Ａに係わる動作状態を図４に、期間Ｂに係わる動作状態を図５に、期間Ｃに係わる動作状態を図６に、期間Ｅに係わる動作状態を図７に、期間Ｇに係わる動作状態を図８にそれぞれ示してある。
【００５２】
着信があるときは、まず、電話回線３で極性反転Ｒ１が生じる。呼出信号検知部１７はこの極性反転Ｒ１による電圧変化（図４：Ｒ２）を検知して、呼出検知信号処理部２４に呼出検知信号Ｓ１を出力し、これを受けた呼出検知信号処理部２４から外部電話接続制御部２５へ呼出検知切り離し信号Ｓ４が出力される。外部電話接続制御部２５は呼出検知切り離し信号Ｓ４の入力に応じて外部電話切り離し信号Ｓ６を出力し、切り離しスイッチ１５をオフにして外部電話機４を電話回線３から切り離す（図４：Ｋ１）と共に、給電回路制御信号Ｓ８を出力し、給電回路１９に通電する。
【００５３】
さらにその後（ここでは、給電回路１９への通電開始から３０ｍｓ程度経過後、図３：期間Ｂ、図５：Ｋ２）、外部電話接続制御部２５は接続先切り替え信号Ｓ７を切り替えスイッチ１６に出力し、外部電話機４の接続先をＣＭＬリレー１３側から給電回路１９へ切り替える。これにより、給電回路１９から２４Ｖが外部電話機４に対して給電される（図５：Ｓｐ）。ここでは、外部電話機４がオンフックなので、直流ループ形成検知部１８は直流ループの形成を検知しない。したがって、外部電話機４は、電話回線３から切り離されて給電回路１９側に接続された状態に維持される。
【００５４】
図３の例では、極性反転Ｒ１があってから第３の期間（ここでは、３秒間）が経過する前に交換機側から呼出信号Ｒ３が到来し（図３：期間Ｃ、図６）、該呼出信号Ｒ３による電圧変化（図６：Ｒ４）を呼出信号検知部１７が検知し、呼出信号検知部１７から呼出検知信号処理部２４へ呼出検知信号Ｓ１、Ｓ２が出力される。これを受けて呼出検知信号処理部２４から外部電話接続制御部２５へ呼出検知切り離し信号Ｓ４が出力され、外部電話接続制御部２５は前回の入力から第３の期間（３秒）を超える前の呼出検知切り離し信号Ｓ４の再入力により、外部電話切り離し信号Ｓ６、接続先切り替え信号Ｓ７、給電回路制御信号Ｓ８の出力を継続する。これにより、外部電話機４は電話回線３から切り離されて給電回路１９から２４Ｖの給電された状態に維持される。
【００５５】
その後、交換機側からの呼出信号が停止すると（図３：期間Ｅ、図７）、極性反転Ｒ５が再び生じ、これによる電圧変化（図７：Ｒ６）を呼出信号検知部１７が検知し、呼出信号検知部１７から呼出検知信号処理部２４へ呼出検知信号Ｓ２が出力され、これを受けて呼出検知信号処理部２４から外部電話接続制御部２５へ呼出検知切り離し信号Ｓ４が出力される。極性反転Ｒ５は、最後の呼出信号の終端から第３の期間（３秒）以内に生じているので、外部電話接続制御部２５は呼出検知切り離し信号Ｓ４の再入力により、外部電話切り離し信号Ｓ６、接続先切り替え信号Ｓ７、給電回路制御信号Ｓ８の出力を継続し、外部電話機４は電話回線３から切り離された状態で維持される。
【００５６】
極性反転Ｒ５があった後、電話回線３の電圧変化が生じることなく第３の期間（３秒）が経過すると（図３：期間Ｇ）、外部電話接続制御部２５は、接続先切り替え信号Ｓ７の出力を停止して切り替えスイッチ１６により外部電話機４の接続先を電話回線３側へ切り替え（図８：Ｋ３）、さらに外部電話切り離し信号Ｓ６の出力を停止して切り離しスイッチ１５による外部電話機４と電話回線３との切り離しを解除し（図８：Ｋ４）、給電回路制御信号Ｓ８の出力を停止して給電回路１９への通電を終了させる。
【００５７】
このように、交換機２から着信があったとき、外部電話機４は、着信の開始から終了まで電話回線３から切り離された状態に維持されるので、全体制御部１１が受信態勢を整えるまでの鳴動が抑止される。
【００５８】
図９は、外部電話機４がオフフックされた場合における接続制御部１２の動作シーケンスと各部の信号波形を示している。また、図９の期間Ａに係わる動作状態を図１０に、期間Ｂに係わる動作状態を図１１に、期間Ｃに係わる動作状態を図１２に、期間Ｄに係わる動作状態を図１３にそれぞれ示してある。
【００５９】
外部電話機４がオフフックされると、電話回線３の電圧に変化が生じ（図９：期間Ａ、図１０：Ｑ１）、この電圧変化が呼出信号検知部１７に検知され、呼出信号検知部１７から呼出検知信号処理部２４へ呼出検知信号Ｓ１が出力され、これを受けて呼出検知信号処理部２４から外部電話接続制御部２５へ呼出検知切り離し信号Ｓ４が出力される。外部電話接続制御部２５は呼出検知切り離し信号Ｓ４の入力に応じて外部電話切り離し信号Ｓ６を出力し、切り離しスイッチ１５をオフにして外部電話機４を電話回線３から切り離す（図１０：Ｋ１）。また、給電回路制御信号Ｓ８を出力し、給電回路１９に通電する。
【００６０】
さらにその後（図９：期間Ｂ、図１１）、外部電話接続制御部２５は接続先切り替え信号Ｓ７を切り替えスイッチ１６に出力し、外部電話機４の接続先をＣＭＬリレー１３側から給電回路１９へ切り替える（図１１：Ｋ２）。これにより、給電回路１９から外部電話機４に対して２４Ｖが給電（図１１：Ｓｐ）される。ここでは、外部電話機４がオフフックされているので、直流ループ形成検知部１８が外部電話機４と給電回路１９との間に形成された直流ループを検知し、直流ループ検知信号Ｓ３が直流ループ検知信号処理部２６に出力され、これを受けた直流ループ検知信号処理部２６から切り離し禁止信号Ｓ５が外部電話接続制御部２５に出力される。
【００６１】
外部電話接続制御部２５は、直流ループ検知信号処理部２６から切り離し禁止信号Ｓ５を受けると、接続先切り替え信号Ｓ７および外部電話切り離し信号Ｓ６の出力を停止して（図９：期間Ｃ  図１２）、外部電話機４を電話回線３に接続する（図１２：Ｋ３、Ｋ４）。
【００６２】
この時、図１３に示すように、電話回線３で電圧の変化Ｑ２が再び生じ（図９：期間Ｄ）、これを呼出信号検知部１７が検知して呼出検知信号Ｓ２および呼出検知切り離し信号Ｓ４が出力されるが、直流ループ検知信号処理部２６からの切り離し禁止信号Ｓ５が有効なので、外部電話接続制御部２５は外部電話切り離し信号Ｓ６および接続先切り替え信号Ｓ７を出力せず、外部電話機４は電話回線３に接続された状態で維持される（図１３：Ｋ５、Ｋ６）。
【００６３】
その後は、直流ループ形成検知部１８により外部電話機４と電話回線３との間に形成された直流ループが検出され続けるので、切り離し禁止信号Ｓ５の出力が継続され、外部電話機４の電話回線３からの切り離しを禁止した状態が継続する。
【００６４】
図１４は、外部電話機４からパルスダイアル発信を行なう場合における接続制御部１２の動作シーケンスと各部の信号波形を示している。パルスダイアルされる直前のオフフック状態（時刻Ｔ１）では外部電話機４と電話回線３との間に直流ループが形成されているので、直流ループ形成検知部１８から直流ループ検知信号Ｓ３が出力され、これに応じて直流ループ検知信号処理部２６から外部電話接続制御部２５へ切り離し禁止信号Ｓ５が出力されている。
【００６５】
かかる状態でダイアルパルス発信を行なうと、各パルスの発生により電話回線３の電圧が変化し、該電圧変化が呼出信号検知部１７に検知されて呼出検知信号処理部２４から外部電話接続制御部２５へ呼出検知切り離し信号Ｓ４が出力される（時刻Ｔ２）。一方、ダイアルパルスの発生により、そのブレーク期間は直流ループが形成されなくなるが、直流ループ検知信号処理部２６は、直流ループの途切れが第２の期間（ここでは、ダイアルパルスのブレーク期間より長い１００ｍｓ）以下の場合は、切り離し禁止信号Ｓ５を継続して出力するので、ダイアルパルスの発生期間中（時刻Ｔ２〜Ｔ３）であっても切り離し禁止信号Ｓ５が継続して出力される。その結果、呼出検知信号処理部２４から呼出検知切り離し信号Ｓ４が出力されても切り離し禁止信号Ｓ５が有効なので、外部電話接続制御部２５は外部電話機４を電話回線３に接続した状態に維持する。
【００６６】
これにより、外部電話機４の接続先の切り替え動作とパルスダイアルとが交錯し、交換局へ送られるパルスの数や長さが異常になって誤発信や発信不能となることが防止される。
【００６７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６８】
たとえば、外部電話機４の接続先を電話回線３と給電回路１９とに切り替えることができれば、切り離しスイッチ１５は無くてもかまわない。なお、切り離しスイッチ１５を設けることで、切り替えスイッチ１６のチャタリングにより呼出信号検知部１７が反応することなどが防止される。
【００６９】
また、実施の形態では、外部電話機４の接続先を給電回路１９に切り替えてから直流ループの検知を開始するようにしたが、直流ループ形成検知部１８や直流ループ検知信号処理部２６を常時動作させる構成にしてもかまわない。この場合、電話回線３の電圧変化で直流ループ形成検知部１８が直流ループの形成を検知したかのように反応することがある。このため、呼出信号検知部１７が電圧の変化を検知する前に直流ループ形成検知部１８が反応して直流ループ検知信号処理部２６から切り離し禁止信号Ｓ５が出力されると、外部電話機４を電話回線３から切り離すことができなくなってしまう。
【００７０】
そこで、直流ループ検知信号処理部２６において、直流ループ検知信号Ｓ３が入力されてから第１の期間以上経過（直流ループ検知信号Ｓ３が第１の期間以上継続）した後に切り離し禁止信号Ｓ５を出力することで、外部電話機４の切り離し動作が確保される。なお、第１の期間は、電話回線３に電圧変化が生じ始めてから、該電圧の変化を呼出信号検知部１７が検出するまでの遅延時間より長い時間に設定される。
【００７１】
また、実施の形態では、省電力モード中の待機を例に説明したが、省電力モード中の待機に限らず、通常状態での被呼待機にも適用可能であり、本発明における待機とはこれらを含む。
【００７２】
このほか実施の形態では、ファクシミリ装置を例に説明したが、電話回線を通じてデータや音声を受信する機能を備えた他の種類の受信装置にも本発明を適用することができる。
【図面の簡単な説明】
【００７３】
【図１】本発明の実施の形態に係わる外部電話機切り離し制御装置を適用したファクシミリ装置の概略構成を示すブロック図である。
【図２】外部電話非鳴動制御部が行なう制御の流れを示す流れ図である。
【図３】着信があった場合における接続制御部の動作シーケンスと各部の信号波形を示す説明図である。
【図４】図３の期間Ａにおける接続制御部の動作を示す説明図である。
【図５】図３の期間Ｂにおける接続制御部の動作を示す説明図である。
【図６】図３の期間Ｃにおける接続制御部の動作を示す説明図である。
【図７】図３の期間Ｅにおける接続制御部の動作を示す説明図である。
【図８】図３の期間Ｇにおける接続制御部の動作を示す説明図である。
【図９】外部電話機がオフフックされた場合における接続制御部の動作シーケンスと各部の信号波形を示す説明図である。
【図１０】図９の期間Ａにおける接続制御部の動作を示す説明図である。
【図１１】図９の期間Ｂにおける接続制御部の動作を示す説明図である。
【図１２】図９の期間Ｃにおける接続制御部の動作を示す説明図である。
【図１３】図９の期間Ｄにおける接続制御部の動作を示す説明図である。
【図１４】外部電話機からパルスダイアル発信を行なう場合における接続制御部の動作シーケンスと各部の信号波形を示す説明図である。
【符号の説明】
【００７４】
２…交換機
３…電話回線
４…外部電話機
１０…ファクシミリ装置
１１…全体制御部
１２…接続制御部
１３…ＣＭＬリレー
１４…モデム（ＭＯＤＥＭ）
１５…切り離しスイッチ
１６…切り替えスイッチ
１７…呼出信号検知部
１８…直流ループ形成検知部
１９…給電回路
２１…擬似呼出信号発生器
２２…給電スイッチ
２３…外部電話非鳴動制御部
２４…呼出検知信号処理部
２５…外部電話接続制御部
２６…直流ループ検知信号処理部
Ｓ１、Ｓ２…呼出検知信号
Ｓ３…直流ループ検知信号
Ｓ４…呼出検知切り離し信号
Ｓ５…切り離し禁止信号
Ｓ６…外部電話切り離し信号
Ｓ７…接続先切り替え信号
Ｓ８…給電回路制御信号
Ｓ９…起動信号
Ｓ１０…ＣＭＬリレー駆動信号
Ｓｐ…外部電話機への給電
Ｒ１、Ｒ２…着信開始時の極性反転
Ｒ５、Ｒ６…着信終了時の極性反転
Ｒ３、Ｒ４…呼出信号
Ｋ１…切り離しスイッチの開放動作
Ｋ２…切り替えスイッチの給電回路側への切り替え動作
Ｋ３…切り離しスイッチの短絡動作
Ｋ４…切り替えスイッチの電話回線側への切り替え動作
Ｋ５…切り離しスイッチの短絡維持
Ｋ６…切り替えスイッチの電話回線側への接続維持
Ｑ１…外部電話機のオフフックによる電話回線の電圧変動
Ｑ２…外部電話機の再接続による電話回線の電圧変動
【図１】
2007235505.tif 000003
【図２】
2007235505.tif 000004
【図３】
2007235505.tif 000005
【図４】
2007235505.tif 000006
【図５】
2007235505.tif 000007
【図６】
2007235505.tif 000008
【図７】
2007235505.tif 000009
【図８】
2007235505.tif 000010
【図９】
2007235505.tif 000011
【図１０】
2007235505.tif 000012
【図１１】
2007235505.tif 000013
【図１２】
2007235505.tif 000014
【図１３】
2007235505.tif 000015
【図１４】
2007235505.tif 000016